(57)【要約】【課題】  インク滴の体積の異なる吐出口列を複数有するインクジェット記録ヘッドを、吸引回復で正常な状態に回復可能なインクジェット記録装置を提供する。【解決手段】  一体キャップによる吸引回復時に、インクタンクと記録ヘッドの接続状態を変える構成とする。【選択図】  図１
2007276211.tif 000002
【特許請求の範囲】
【請求項１】
プリント媒体の搬送方向に沿って配列する複数の吐出口からなる複数の吐出口列を具え、これら吐出口列は少なくとも２種類以上の体積のインク滴を吐出させる記録素子基板と、各々の吐出口列にインクを供給するインク流路と、インク流路のインクタンクとの接続部にフィルタとを具えたインクジェット記録ヘッドと、
該インク流路に接続され、着脱可能にインクジェット記録ヘッドに取り付けられるインクタンクと、
該インクジェット記録ヘッドの吐出口からインクを吸引する全吐出口を覆う一体キャップとを搭載するインクジェット記録装置において、
インクタンクとインクジェット記録ヘッドのフィルタとの接続状態を変えて吸引回復を行うことを特徴とするインクジェット記録装置。
【請求項２】
前記インクタンクとインクジェット記録ヘッドのフィルタとの接続状態は、インクタンクとインクタンク着脱方向の位置を変えることを特徴とする請求項１に記載のインクジェット記録装置。
【請求項３】
前記インクジェット記録ヘッドの体積大のインク滴を吐出する吐出口列、それに接続するインクタンクの、記録ヘッドのフィルタとの、接触面積を他のインクタンクより減少させて吸引回復した後に、該インクタンクの接触面積を他のインクタンクと同等に戻した状態で吸引回復することを特徴とする請求項１に記載のインクジェット記録装置。
【請求項４】
前記インクジェット記録ヘッドのインクタンクとの接続部のフィルタは、SUS材質のメッシュまたは繊維の燒結体であることを特徴とする請求項１に記載のインクジェット記録装置。
【請求項５】
前記インクジェット記録ヘッドのインクタンクとの接続部のフィルタは、インクタンクと接触する第１のフィルタとインク流路の内側に位置する第２のフィルタの２枚構成であることを特徴とする請求項１に記載のインクジェット記録装置。
【請求項６】
前記インクジェット記録ヘッドのインクタンクとの接続部の第１のフィルタは、SUS材質のメッシュであり、ドーム上に取り付けられていることを特徴とする請求項５に記載のインクジェット記録装置。
【請求項７】
前記インクジェット記録ヘッドのインクタンクとの接続部の第２のフィルタは、SUS材質のメッシュまたは繊維の燒結体であることを特徴とする請求項５に記載のインクジェット記録装置。
【発明の詳細な説明】
【技術分野】
【０００１】
本発明は、記録用液体（以下インクと称する）を飛翔的液滴としてインク吐出口から吐出させ被記録材に付着させることにより記録を行うインクジェット記録装置に関するものである。
【背景技術】
【０００２】
本発明は、液体を吐出するための液体吐出ヘッドおよびその駆動方法ならびにこの液体吐出ヘッドと当該液体吐出ヘッドに供給される液体を貯溜する液体タンクとを一体化したカートリッジおよびプリント媒体に画像を形成するための画像形成装置に関し、一般的なプリント装置のほか、複写機や通信システムを有するファクシミリ、プリント部を有するワードプロセッサなどの装置、さらには各種処理装置と複合的に組み合わされた産業用記録装置に適用可能な他、捺染装置やエッチングなどの加工装置にも応用することができる。
【０００３】
なお、本明細書において、「プリント」または「記録」とは、文字や図形など有意の情報を形成する場合のみならず、有意無意を問わず、また人間が視覚で知覚し得るように顕在化したものであるか否かを問わず、広くプリント媒体上に画像,模様,パターンなどを形成したり、あるいはエッチングなどの加工をも含む。
【０００４】
また、「プリント媒体」とは、一般的なプリント装置で用いられる紙片のみならず、布帛,プラスチックフィルム,金属板,ガラス,セラミックス,木材,皮革など、インクを受容可能なものであり、シート状物体以外の三次元立体、例えば球体や円筒体などもその対象となる。
【０００５】
さらに、「液体」とは、上記「プリント（または記録）」の定義と同様広く解釈されるべきものであり、プリント媒体に付与されることによって、画像,模様,パターンなどの形成、またはプリント媒体のエッチング加工、あるいはインクの処理（例えばプリント媒体に付与されるインク中の色材の凝固または不溶化）などに供されるものを含む。
【０００６】
（従来の技術）
インクジェットプリンタは、いわゆるノンインパクトプリント方式のプリント装置であり、高速なプリントや様々なプリント媒体に対してプリントすることが可能であって、プリント時における騒音がほとんど生じないといった特徴を持つことから、ワードプロセッサやファクシミリあるいは複写機などのプリント機構を担う装置として広く採用されている。
【０００７】
このインクジェット方式の代表的なものとして、インクやプリント媒体に対するインクのプリント性を調整するための処理液（以下、本明細書ではこれらをまとめて便宜的にインクと呼称する）などの液体、つまりインク滴の吐出エネルギーとして熱エネルギーを発生する電気熱変換素子を用いた方法が知られており、これは微小な吐出口から微小なインク滴を吐出させ、紙などのプリント媒体に対してプリントを行うものである。
【０００８】
一般に、インク滴を形成するための駆動系と、この駆動系に対してインクを供給する供給系とから構成される電気熱変換素子を用いたインクジェット記録ヘッドは、電気熱変換素子を加圧室内に設け、これにプリント信号となる電気パルスを与えることによりインクに熱エネルギーを与え、この時のインクの急激な相変化、つまり気化により生じる気泡圧力をインク滴の吐出に利用したものである。
さらに電気熱変換素子を用いたインクジェット記録ヘッドの場合、電気熱変換素子を配列した基板表面に沿ってインクを吐出させるエッジシューター方式と、電気熱変換素子を配列した基板表面に対して垂直にインクを吐出させるサイドシューター方式とが知られている。
【０００９】
サイドシューター方式のインクジェットヘッドの外観を図９に示す。ここに示すインクジェットヘッドは、インクタンク（不図示）として、ブラック、シアン、マゼンタ、イエロー、ライトシアン及びライトマゼンタの各色のインクタンクが用意されている。記録ヘッド１０００は、前記各インクタンクを着脱可能に保持するインクタンクホルダー１５００を有し、各インクタンクより供給されたインクを吐出するためのノズルを有する記録素子基板１１００、プリンタ本体からの電気信号を記録素子基板へ伝える電気配線部材１３００  等をはじめとする種々の部品が設けられている。
【００１０】
図１０は、記録素子基板１１００の吐出方向から見たインクジェット記録ヘッドの平面を示す。記録素子基板１１００には、Si基板の片面にインクを吐出するための複数の記録素子と、各記録素子に電力を供給するためAl等の電気配線とが成膜技術により形成され、この記録素子に対応した複数のインク流路と複数の吐出口とがフォトリソ技術により形成されると共に、複数のインク流路にインクを供給するための共通液室が裏面に開口するように形成されている。図１０は、２色分の吐出口列1140が形成されている記録素子基板1110ａ，1110ｂ，1110ｃを高い精度で実装した記録ヘッドである。  各記録素子基板は、写真調の高画質なカラー記録を可能とするため、前記の共通液室1130の両側に吐出口1120が形成されており、合わせて1200ｄｐｉの吐出口列1140、1141となる。また、記録ヘッドから吐出されるインク滴の大きさは、４plで写真調の画質を実現することができ、これに伴い、吐出口径はφ１６μｍ程度の著しく小径のものとなる。
【００１１】
電気配線部材１３００と記録素子基板１１００は、インナーリードボンディングにより電気接続され、電極封止材２０００により絶縁封止される。
【００１２】
このようなインクジェット記録ヘッドは、液体を取り扱うため、液体の増粘や泡の混入に対して、記録ヘッド内の液体を外へ排出する回復動作により、正常なインク滴の吐出を可能とする。この吸引動作を行う回復機構は、記録ヘッドの記録素子部を密閉するためのキャップとキャップに接続したポンプから構成され、プリンタ本体の印字領域外の位置（通常、ホームポジション）に設けられる。図９、図１０のように、記録素子基板が近接してマウントされた形態の記録ヘッドの場合には、一体キャップにより、全色同時吸引することで、回復を行っている。
【００１３】
又、別の従来例としては、特許文献１をあげることが出来る。
【特許文献１】特開平06-344564号公報
【発明の開示】
【発明が解決しようとする課題】
【００１４】
写真調の画質の更なる向上を実現するためには、2ｐｌ以下が必要であり、吐出口径はφ11μｍ程度と更に小径のものとなる。この時、印刷物としての記録密度は、２４００ｄｐｉ×１２００ｄｐｉが必要となり、4ｐｌの１２００ｄｐｉ×１２００ｄｐｉの２倍となる。記録ヘッドの吐出口の密度を１２００ｄｐｉの構成では、印刷面でのドット径が４ｐｌ  ４５μmから２ｐｌ  ３６μｍと小さくなる。この弊害として、記録ヘッドの吐出口列方向に対する着弾精度のマージンが減り，記録ヘッド走査方向のバンディング（スジ）が発生し易くなる。そこで、写真調の画像で使用頻度の高い淡インク（ライトシアン・ライトマゼンタ）を４ｐｌとし、その他の濃インク４色（ブラック、シアン、マゼンタ、イエロー）を２ｐｌにする記録ヘッドが有効となる。ちなみに、淡インクと４ｐｌの組み合わせでも、充分な粒状感が達成されている。濃インクと２ｐｌの組み合わせにすることで、淡インクから濃インクに切り替わる濃度部の粒状感が、従来の４ｐｌより軽減する。
【００１５】
しかしながら、淡インク２色４ｐｌと濃インク４色２ｐｌでは、インクタンクから記録素子基板上の吐出口までの流抵抗が大きく異なるために、前記一体キャップによる６色同時吸引では、適正な吸引ができないという問題がある。特に、２ｐｌの淡インクのインクタンクが空になり、インクタンクを交換した後の回復時に顕著であり、２ｐｌの色を正常に回復しようとすると吸引が強くなり、流抵抗の低い４ｐｌの色の流速が早くなる。その結果、４ｐｌの色のインクタンク内部でインクが途切れてしまい、吸引後も液的に切れた状態が発生して、インクタンクが使用不可能となる。また、４ｐｌの色のインクタンクのインク切れを発生させないような弱い条件では、２ｐｌの色の回復は困難である。
【００１６】
そこで、本発明が解決しようとするところは、インク滴の体積が異なる、つまり、吐出口の大きさの異なる記録素子基板が近接してマウントされた記録ヘッドで、回復のためのキャップが、一体キャップを用いた場合でも、適正な回復が可能なインクジェット記録ヘッド及びインクジェット記録装置を提供することである。
【００１７】
なお、一体キャップとは、複数の吐出口列を１室で覆うキャップであり、本明細書では、６色の吐出口列の全てを覆うキャップを例として記載している。Bkとカラーの吐出口列が離れたビジネス系のインクジェット記録ヘッドのカラー全色を覆うキャップも、一体キャップの一例である。
【課題を解決するための手段】
【００１８】
プリント媒体の搬送方向に沿って配列する複数の吐出口からなる複数の吐出口列を具え、これら吐出口列は少なくとも２種類以上の体積のインク滴を吐出させる記録素子基板と、各々の吐出口列にインクを供給するインク流路と、インク流路のインクタンクとの接続部にフィルタとを具えたインクジェット記録ヘッドと、
該インク流路に接続され、着脱可能にインクジェット記録ヘッドに取り付けられるインクタンクと、
該インクジェット記録ヘッドの吐出口からインクを吸引する全吐出口を覆う一体キャップとを搭載するインクジェット記録装置において、
インクタンクとインクジェット記録ヘッドのフィルタとの接続状態を変えて吸引回復を行うことを特徴とするインクジェット記録装置。
【００１９】
前記インクタンクとインクジェット記録ヘッドのフィルタとの接続状態は、インクタンクとインクタンク着脱方向の位置を変えることを特徴とするインクジェット記録装置。
【００２０】
前記インクジェット記録ヘッドの体積大のインク滴を吐出する吐出口列、それに接続するインクタンクの、記録ヘッドのフィルタとの、接触面積を他のインクタンクより減少させて吸引回復した後に、該インクタンクの接触面積を他のインクタンクと同等に戻した状態で吸引回復することを特徴とするインクジェット記録装置。
【００２１】
前記インクジェット記録ヘッドのインクタンクとの接続部のフィルタは、SUS材質のメッシュまたは繊維の燒結体であることを特徴とインクジェット記録装置。
【００２２】
前記インクジェット記録ヘッドのインクタンクとの接続部のフィルタは、インクタンクと接触する第１のフィルタとインク流路の内側に位置する第２のフィルタの２枚構成であることを特徴とするインクジェット記録装置。
【００２３】
前記前記インクジェット記録ヘッドのインクタンクとの接続部の第１のフィルタは、SUS材質のメッシュであり、ドーム上に取り付けられていることを特徴とするインクジェット記録装置。
【００２４】
前記前記インクジェット記録ヘッドのインクタンクとの接続部の第２のフィルタは、SUS材質のメッシュまたは繊維の燒結体であることを特徴とするインクジェット記録装置。
【００２５】
（作用）
インクジェット記録ヘッドの体積大のインク滴を吐出する吐出口列、それに接続するインクタンクの、記録ヘッドのフィルタとの、接触面積を他のインクタンクより減少させて吸引回復することで、体積小のインク滴を吐出する吐出口列の吸引量が増加し、更に吐出量大のインクタンクのインク切れが発生しないので、より強い条件で吸引回復可能となり、体積小のインク滴を吐出する吐出口列の回復が可能となる。その後に、体積大のインク滴を吐出する吐出口列に接続するインクタンクの接触面積を他のインクタンクと同等に戻した状態で吸引回復することをで、体積大のインク滴を吐出する吐出口列も回復する。
【００２６】
以上のように、インク滴の体積が異なる、つまり、吐出口の大きさの異なる記録素子基板が近接してマウントされたインクジェット記録ヘッドで、回復のためのキャップが、一体キャップを用いた場合でも、適正な回復が可能である
【発明の効果】
【００２７】
インクジェット記録ヘッドの体積大のインク滴を吐出する吐出口列、それに接続するインクタンクの、記録ヘッドのフィルタとの、接触面積を他のインクタンクより減少させて吸引回復することで、体積小のインク滴を吐出する吐出口列の吸引量が増加し、更に吐出量大のインクタンクのインク切れが発生しないので、より強い条件で吸引回復可能となり、体積小のインク滴を吐出する吐出口列の回復が可能となる。その後に、体積大のインク滴を吐出する吐出口列に接続するインクタンクの接触面積を他のインクタンクと同等に戻した状態で吸引回復することで、体積大のインク滴を吐出する吐出口列も回復する。
【００２８】
以上のように、インク滴の体積が異なる、つまり、吐出口の大きさの異なる記録素子基板が近接してマウントされたインクジェット記録ヘッドで、回復のためのキャップが、一体キャップを用いた場合でも、適正な回復が可能である。
【００２９】
本発明は、一体キャップで、個別インクタンク吸引回復を可能とするものである。
【発明を実施するための最良の形態】
【００３０】
次に、本発明の詳細を実施例の記述に従って説明する。
【００３１】
以下に、本発明の実施例について説明する。
【実施例１】
【００３２】
図１〜図４は、本発明の実施例１を詳細に説明する摸式図である。図１は、本発明のインクジェット記録ヘッドの斜視図を示す。ここに示す記録ヘッド１０００は、インクタンク（不図示）として、ブラック、シアン、マゼンタ、イエロー、ライトシアン及びライトマゼンタの各色のインクタンクが用意されている。記録ヘッド１０００は、前記各インクタンクを着脱可能に保持するインクタンクホルダー１５００を有し、各インクタンクより供給されたインクを吐出するためのノズルを有する記録素子基板１２００、プリンタ本体からの電気信号を記録素子基板へ伝える電気配線部材１３００  等をはじめとする種々の部品が設けられている。インクタンクホルダー１５００の前面（電気部材１３００のプリンタ本体との電気接続端子１３１０が取りつけられる面）には、図３に示すインクタンク１９００の位置決めのための前方突起１９１０が挿入される開口１５１０と１５２０が設けられている。
【００３３】
図２は、記録素子基板１２００の吐出方向から見たインクジェット記録ヘッドの平面を示す。記録素子基板１２００には、Si基板の片面にインクを吐出するための複数の記録素子と、各記録素子に電力を供給するためAl等の電気配線とが成膜技術により形成され、この記録素子に対応した複数のインク流路と複数の吐出口とがフォトリソ技術により形成されると共に、複数のインク流路にインクを供給するための共通液室が裏面に開口するように形成されている。図２は、２色分の吐出口列1240、1241が形成されている記録素子基板1210ａ，1210ｂ，1210ｃを高い精度で実装した記録ヘッドである。これまで以上の写真調高画質なカラー記録を可能とするため、記録素子基板1210ａ、1210ｂは、前記の共通液室1230の両側に２ｐｌの液滴を吐出する吐出口1220が形成されており、合わせて1200ｄｐｉの吐出口列1240、1241となる。この２plの液滴を吐出する吐出口径はφ１１μｍ程度で、４ｐｌの吐出口に比べて更に小径のものとなる。記録素子基板1210ｃは、前記の共通液室1230の両側に４ｐｌの液滴を吐出する吐出口1221が形成されており、合わせて1200ｄｐｉの吐出口列1245、1246となる。この４plの液滴を吐出する吐出口径はφ１６μｍ程度である。吐出口列1240はブラックインクタンク、吐出口列1241はシアンインクタンク、吐出口列1242はマゼンタインクタンク、吐出口列1243はイエローインクタンク、吐出口列1244はライトシアンインクタンク、吐出口列1245はライトマゼンタインクタンク、とインクジェット記録ヘッド内部のインク流路により各々接続される。電気配線部材１３００と記録素子基板１２００は、インナーリードボンディングにより電気接続され、電極封止材２０００により絶縁封止される。
【００３４】
図３は、インクジェット記録ヘッド１０００にインクタンク１９００が装着された正常にインクが供給される状態を示す断面図である。インクタンク１９００は、内部に、インクを吸収保持するウレタンスポンジやポリプロピレン繊維等のインク吸収体１９２０、インク供給口部に置かれたインク吸収体よりも毛細管力の高い圧接体１９３０を有する。インクタンクからのインクは、記録ヘッドのフィルタ６７から記録ヘッド内部のインク流路６０に導入される。
【００３５】
インク流路６０は、インクタンクホルダー１５００内部のインク流路６１、インクタンクホルダーと流路形成部材１６００で形成されるインク流路６２、流路形成部材１６００内部のインク流路６３、記録素子基板をマウントするチッププレート１７００内部のインク流路６４、そして記録素子基板１２００の共通液室１２３０から構成される。
【００３６】
インクタンク１９００の前面には記録ヘッドとの位置決めのための突起１９１０が設けられている。記録ヘッドのインクタンクホルダー前面の開口１５２０には、可動部材M２０００が挿入され、インクタンクの突起１９１０の位置決めがされる。
【００３７】
図４（Ａ）、図４（Ｂ）、図４（Ｃ）は、プリンタ本体で吸引回復をする場合の一体キャップＭ３０００の装着状態を示す平面図と、Ｂ-Ｂ断面、Ｃ-Ｃ断面を示す断面図である。一体キャップＭ３０００は、ゴム製のキャップＭ３０１０、チューブＭ３０２０、吸収体Ｍ３０３０からなる。チューブＭ３０２０は、図７，図８のチューブポンプに接続され、インクを記録ヘッドの吐出口から吸い出す。本発明のインクジェット記録ヘッドにおける吸引回復動作、例えば、２ｐｌのインクタンク交換時のステップは、（１）２ｐｌインクタンク交換→（２）全色吸引（４ｐｌの２色と２ｐｌの４色）→（３）可動部材３０００の記録ヘッドからの離脱（図４（Ｂ）状態で、４ｐｌのインクタンクが上方に上がることで、フィルターとインクタンク圧接体の圧接が少なくなり、抵抗大となる。２ｐｌの４色は（Ｃ）の状態）→（４）２ｐｌの４色吸引（（２）より強く吸引。２ｐｌ部が正常に回復。４ｐｌは（３）状態のため吸引できないが、インクタンク内のインク切れもない）→（５）可動部材３０００の記録ヘッドへ装着（４ｐｌのインクタンクが正常位置となる）→（６）全色吸引（（２）と同程度吸引。４ｐｌと２ｐｌ部が正常に回復。）→（７）終了となる。また、インクタンク交換時に常にこの動作を行うと廃インクが増えるデメリットもあるので、（２）で正常回復しなかったときに、リフレッシングモードとして（３）から（６）を実施することにしても良い。図５は、一体キャップ内部の吸引プロファイル（吸引時間と減圧）の例である。（２）と（６）の吸引は、連続山吸引で、圧力は０．１〜０．２気圧の減圧。（４）の吸引は、独立山吸引で、圧力が０．２〜０．４気圧と高い減圧とする。
【００３８】
補足）ステップ（４）で、４ｐｌのインクタンクが上方に上がった状態での吸引に関して、フィルタは毛細管力が強いために、インクタンクの圧接体と接していない領域はインクのメニスカスが形成される。木のメニスカスは図５の（４）回復の減圧力大（山部）の時に破れたとしても、減圧力小（谷部）ではメニスカスが再生される。これは、実験でも検証されており、４ｐｌのインクタンクと２ｐｌのインクタンクが全て正常に記録ヘッドに取り付けた状態で吸引回復した時より、４ｐｌのインクタンクを上方に上げた時の方が、２ｐｌの吸引量が増す。
【００３９】
次に、吸引回復処理を行うためのチューブポンプＭ５１００の構成について説明する。
【００４０】
チューブポンプＭ５１００は、ポンプチューブＭ５０１９、キャップチューブＭ３０２０を介してキャップＭ３０１０に接続されている。このポンプＭ５１００は、ポンプ駆動伝達ギア列Ｍ５１３０とを介してモータに連結されている。
【００４１】
チューブポンプＭ５１００は、をポンプコロＭ５０１８によってポンプチューブＭ５０１９をしごいて圧力を発生させるポンプであり、図７および図８にその構成を示す。図７はポンプコロＭ５０１８がポンプチューブＭ５０１９に圧接された状態を示す図であり、図８はポンプコロＭ５０１８のポンプチューブＭ５０１９への圧接力が解除された状態を示す図である。
【００４２】
ポンプＭ５１００は、ポンプチューブＭ５１０９と、ポンプ中心軸Ｍ５０７６を中心とした半円筒径（１８０度以上）の内壁を有し、ポンプチューブＭ５０１９を前記内壁に沿わせるポンプチューブガイドＭ５０２２と、ポンプチューブＭ５０１９をポンプチューブガイドＭ５０２２に圧接してしごくことで圧力を発生させるポンプコロＭ５０１８と、ポンプコロＭ５０１８を回転および移動可能に支持するポンプコロホルダＭ５０２０と、ポンプコロホルダＭ５０２０を回転軸Ｍ５０２０ａで回転可能に支持し、自らも回転軸Ｍ５０７６に回転可能に支持されるポンプコロガイドＭ５０２１と、ポンプコロガイドＭ５０２１とポンプコロホルダＭ５０２０との間で作用し、ポンプコロＭ５０１８がポンプチューブＭ５０１９をポンプチューブガイドＭ５０２２に圧接する役割をするポンプコロ圧接ばねＭ５０２５とで構成されている。
【００４３】
また、ポンプコロＭ５０１８,ポンプコロホルダＭ５０２０,ポンプコロ圧接ばねＭ５０２５は、ポンプ中心軸Ｍ５０７６に対して１８０度の角度位相差をもってポンプコロガイドＭ５０２１上に２個ずつ設けられている。
【００４４】
また、このポンプＭ５１００には、ポンプチューブＭ５０１９をしごくポンプコロＭ５０１８のポンプチューブＭ５０１９への圧接力を解除できる機構が設けられている。
【００４５】
ポンプコロＭ５０１８は、ポンプコロホルダＭ５０２０に設けられた移動溝Ｍ５０２０ｂ内を軸が移動できるように構成されている。
【００４６】
図７の状態では、ポンプコロＭ５０１８とポンプコロホルダＭ５０２０の移動溝Ｍ５０２０ｂとの位置関係は、ポンプ中心軸５０７６からポンプコロＭ５０１８までの距離が大きく、ポンプコロＭ５０１８がポンプチューブＭ５０１９を圧接する状態（チューブ内壁を密着させる状態）になる。
【００４７】
図８の状態では、ポンプコロＭ５０１８は、ポンプ中心軸５０７６からの距離が小さく、ポンプチューブＭ５０１９を圧接しない状態になる。
【００４８】
モータが正転方向に回転する時には、ポンプＭ５１００内の各部材はポンプ中心軸Ｍ５０７６を中心に、図８中の矢印Ｆ２方向に回転し、ポンプコロＭ５０１８は、ポンプチューブＭ５０１９との間に発生する摩擦力によって、ポンプコロホルダＭ５０２０の移動溝Ｍ５０２０ｂを矢印Ｇ２方向に相対的に移動する。従って、モータが正転するときには、ポンプコロＭ５０１８の圧接力が解除され、吸引圧は発生しない。
【００４９】
モータが逆転方向に回転する時には、ポンプＭ５１００内の各部材はポンプ中心軸Ｍ５０７６を中心に、図７中の矢印Ｆ１方向に回転し、ポンプコロＭ５０１８は、コロダンパーＭ５０１６を通過する時に、コロダンパーＭ５０１６の付勢力により、ポンプコロホルダＭ５０２０の移動溝Ｍ５０２０ｂを矢印Ｇ１方向に相対的に移動する。従って、ＰＧモータＥ０００３が逆転するときには、ポンプコロＭ５０１８の圧接力が作用し、ポンプチューブＭ５０１９をしごくことができ、吸引圧を発生することができる。
【００５０】
図６（A）,図６(B)は、本発明による第２の実施例を示すインクタンクと記録ヘッドのフィルタ部の接続部の断面図である。図６（A）は、図４（B）と同じ状態を示すもので、４ｐｌの吐出口列に接続されたインクタンク１９００が上がることで、第１のフィルタ６８と第２のフィルタ６９の間に空間が出来る。ここで、吸引回復を行うこと、第１のフィルタとインクタンクの圧接体１９３０との圧接面積が少なくなるので、空気が混入する。その空気は、第１のフィルタと第２のフィルタの間にトラップされて気泡７０となる。この気泡７０は、２枚のフィルタに挟まれているために、抜けにくい。その結果として、インクが通る面積が少なくなって、他の色部（例えば、２ｐｌ部）がより多く吸引される。図６（B）は、インクタンク１９００が正常な位置に移動した状態を示す。インクタンクにより第１のフィルタ６８が潰れて第２のフィルタにほぼ接触することで、図６（A）図の気泡７０が押し出されて、インクが通り易い状態となる。このように、第１のフィルタは弾性が必要であり、SUSの材質のメッシュフィルタが適当である。第２のフィルタは、弾性は必要でないために、SUSの材質の燒結繊維フィルタを用いることが出来る、また、前記のメッシュフィルタでも良い。
【００５１】
本発明の第２の実施例のインクジェット記録ヘッドにおける吸引回復動作、例えば、２ｐｌのインクタンク交換時のステップは、（１）２ｐｌインクタンク交換→（２）全色吸引（４ｐｌの２色と２ｐｌの４色）→（３）可動部材３０００の記録ヘッドからの離脱（図６（A）状態で、４ｐｌのインクタンクが上方に上がることで、フィルターとインクタンク圧接体の圧接が少なくなり、かつ第１フィルタと第２のフィルタの間に気泡がとり込まれるので抵抗大となる。２ｐｌの４色は図４（Ｃ）の状態）→（４）２ｐｌの４色吸引（（２）より強く吸引。２ｐｌ部が正常に回復。４ｐｌは（３）状態のため吸引できないが、インクタンク内のインク切れもない）→（５）可動部材３０００の記録ヘッドへ装着（４ｐｌのインクタンクが正常位置、図６（B）となる）→（６）全色吸引（（２）と同程度吸引。４ｐｌと２ｐｌ部が正常に回復。）→（７）終了となる。
【図面の簡単な説明】
【００５２】
【図１】本発明の第１の実施例にかかるインクジェット記録ヘッドの斜視図である。
【図２】本発明の第１の実施例にかかるインクジェット記録ヘッドの記録素子基板の平面図である。
【図３】本発明の第１の実施例にかかるインクジェット記録ヘッドとインクタンクの接続状態を示す断面図である。
【図４】本発明の第１の実施例にかかるインクジェット記録ヘッドのキャップ装着状態を示す平面図である。（B）は図４（A）のB-B断面図である。（C）は図４（A）のC-C断面図である。
【図５】本発明のインクジェット記録装置の吸引回復の一体キャップ内の圧力状態を示すグラフである。
【図６】（A）本発明の第２の実施例を示すインクジェット記録ヘッドとインクタンクの接続状態を示す断面図である。（B）本発明の第２の実施例を示すインクジェット記録ヘッドとインクタンクの別の接続状態を示す断面図である。
【図７】本発明のインクジェット記録装置の吸引回復用いられるチューブポンプの概略構造を示す正面図であり、ポンプチューブに対してポンプコロを圧接した状態である。
【図８】本発明のインクジェット記録装置の吸引回復用いられるチューブポンプの概略構造を示す正面図であり、ポンプチューブに対してポンプコロの圧接力を解除した状態である。
【図９】従来のインクジェット記録ヘッドの斜視図である。
【図１０】従来のインクジェット記録ヘッドの記録素子基板の平面図である。
【符号の説明】
【００５３】
1000  インクジェット記録ヘッド
1200  記録素子基板
1300  電気配線部材
1500  インクタンクホルダー
1600  流路形成部材
1210ａ，1210ｂ，1210ｃ  記録素子基板
1220、1221  吐出口
1230  共通液室
1240、1241、1242、1243、1244、1245  吐出口列
2000  電極封止材
M2000  可動部材
1900  インクタンク
1910  前方突起
1920  インク吸収体
1930  圧接体
60  インク流路
67、68、69  フィルタ
M3000  一体キャップ
M3010  キャップ
M3020  キャップチューブ
M5100  チューブポンプ
【図１】
2007276211.tif 000003
【図２】
2007276211.tif 000004
【図３】
2007276211.tif 000005
【図４】
2007276211.tif 000006
【図５】
2007276211.tif 000007
【図６】
2007276211.tif 000008
【図７】
2007276211.tif 000009
【図８】
2007276211.tif 000010
【図９】
2007276211.tif 000011
【図１０】
2007276211.tif 000012